(57)【特許請求の範囲】
【請求項１】
利用者が携帯するナビゲーション装置であって、
複数のナビゲーションモードを備えると共に、
前記利用者の属性情報を記憶する属性情報記憶部と、
現在位置を検出する現在位置検出手段と、
現時点の日時を提供する日時提供手段と、
通信ネットワークに接続するための通信手段と、
前記通信手段を通じて取得される情報に付加されている種別情報に基づいて、前記通信手段を通じて取得される情報の種別を認識する認識手段と、
を備え、
前記複数のナビゲーションモードの内から選択されたナビゲーションモードが動作中において、少なくとも、前記属性情報記憶部の前記利用者の属性情報と、前記現在位置検出手段で検出された現在位置と、前記認識手段で認識された前記通信手段を通じて取得される情報の種別と、前記動作中のナビゲーションモードが何であるかに基づいて、前記日時提供手段から提供される現時点の日時において前記通信手段を通じて取得される情報について当該情報を利用可能状態とするか否かを判定する
ことを特徴とするナビゲーション装置。
【請求項２】
前記利用可能状態とするか否かの判定は、プッシュ型サービス情報及び／またはプル型サービス情報について、受け取るかどうか、あるいは、広告を表示するかどうかの判定である
ことを特徴とする請求項１に記載のナビゲーション装置。
【請求項３】
前記利用者による前記複数のナビゲーションモードの内の動作させるナビゲーションモードの選択を受け付けるモード選択手段を備えると共に、
前記モード選択手段で前記動作させるナビゲーションモードが選択されていないときに、少なくとも前記属性情報記憶部の前記利用者の属性情報と、前記現在位置検出手段で検出された現在位置と、前記日時提供手段から提供される現時点の日時とに基づいて前記動作させるナビゲーションモードを判定するモード自動判定手段を備える
ことを特徴とする請求項１または請求項２に記載のナビゲーション装置。
【請求項４】
前記動作中のナビゲーションモードにおける前記利用者の状況を入力設定する入力手段を備えると共に、前記利用者の状況が、前記利用者により入力設定されていないときに、少なくとも前記属性情報記憶部の前記利用者の属性情報と、前記現在位置検出手段で検出された現在位置と、前記日時提供手段から提供される現時点の日時とに基づいて、前記利用者の状況を自動判定する手段を備える
ことを特徴とする請求項１〜請求項３のいずれかに記載のナビゲーション装置。
【発明の詳細な説明】
【技術分野】
【０００１】
この発明は、広告情報やクーポン情報などのサービス情報を受信することができるナビゲーション装置に関する。
【背景技術】
【０００２】
最近のスマートフォンなどの携帯端末においては、Ｏ２Ｏ（Online to Offline）の普及もあり、インターネットを通じて種々のサービス情報の取得が可能となっている（例えば特許文献１参照）。利用者は、このサービス情報を取得することで、取得した情報から実店舗でのサービス内容を知ることができる、実店舗において、取得した情報に基づくサービスを享受することができる、等が可能となり便利である。この種のサービス情報には、次のようなものがある。
【０００３】
・デジタルクーポン；実店舗で割引サービスが受けられる。  
【０００４】
・来店ポイントサービス；商品を購入しなくても、実店舗を訪問するだけでポイントをためることができる。  
【０００５】
・デジタルチラシサービス；実店舗でのセール情報が分かる。  
【０００６】
・エリア店舗情報サービス；利用者が行きたい店舗を見つけることができる。  
【０００７】
・公式アカウントサービス；実店舗で割引サービスが受けられる。
【０００８】
以上のようなサービス情報は、要求しなくても送られてくるプッシュ型サービス情報と、要求することで取得することができるプル型サービス情報があり、利用者は、非常に多くのサービス情報の取得が可能となっている。また、携帯端末は、上述のようなプッシュ型サービス情報やプル型サービス情報の他に、広告の情報も受け取ることができる。
【０００９】
従来からこの種のサービス情報や広告を、ナビゲーション機能により案内をしているときに受信して、利用者に提供することができるナビゲーション装置が提供されている。従来のナビゲーション装置では、プッシュ型サービス情報やプル型サービス情報によるクーポンなどのサービス（便益）は全て受け取り、広告情報は全て表示画面に表示するようにしていた。
【先行技術文献】
【特許文献】
【００１０】
【特許文献１】特開２０１３−２００８５６号公報
【発明の概要】
【発明が解決しようとする課題】
【００１１】
上記のようなサービス情報は、当該情報の取得時点で、当該情報に基づいて店舗を訪問して利用しようとする利用者にとっては有益なものではあるが、時点、場所、場合（状況）によっては、必ずしも、利用者にとっては有益なものでないものも含まれ、全く不要であるものが含まれる場合も多い。
【００１２】
そして、最近は、この種のサービス情報が増加していて、大量の種々のプッシュ型サービス情報及びプル型サービス情報及び広告が取得可能及び表示可能となっている。従来のナビゲーション装置では、上述したように、プッシュ型のサービス情報及びプル型のサービス情報によるサービスは全て取得し、また、広告はすべて表示するようにしているので、利用者にとって有益な情報と、不要な情報の全てが混在して取得されたり、表示されてしまったりしていた。
【００１３】
このため、利用者は、この大量の情報の中から、その時点、場所、場合（状況）に応じた有益な情報の選択をしなければならず、煩雑となり、非常に不便であった。
【００１４】
この発明は、以上の点に鑑み、利用者が、その時点、場所、場合（状況）に応じた有益な情報を容易に得ることができるようにしたナビゲーション装置を提供することを目的とする。
【課題を解決するための手段】
【００１５】
上記の課題を解決するために、請求項１の発明は、
利用者が携帯するナビゲーション装置であって、
複数のナビゲーションモードを備えると共に、
前記利用者の属性情報を記憶する属性情報記憶部と、
現在位置を検出する現在位置検出手段と、
現時点の日時を提供する日時提供手段と、
通信ネットワークに接続するための通信手段と、
前記通信手段を通じて取得される情報に付加されている種別情報に基づいて、前記通信手段を通じて取得される情報の種別を認識する認識手段と、
を備え、
前記複数のナビゲーションモードの内から選択されたナビゲーションモードが動作中において、少なくとも、前記属性情報記憶部の前記利用者の属性情報と、前記現在位置検出手段で検出された現在位置と、前記認識手段で認識された前記通信手段を通じて取得される情報の種別と、前記動作中のナビゲーションモードが何であるかに基づいて、前記日時提供手段から提供される現時点の日時において前記通信手段を通じて取得される情報について当該情報を利用可能状態とするか否かを判定する
ことを特徴とするナビゲーション装置を提供する。
【００１６】
上述の構成の請求項１の発明のナビゲーション装置によれば、複数のナビゲーションモードを備え、その複数のナビゲーションモードのうちの動作中（利用中）のナビゲーションモードと、利用者の属性情報と、その時のＴＰＯ（Ｔ：時間、Ｐ：場所、Ｏ：場合（状況））と、通信手段を通じて取得する情報の種別に応じて、通信手段を通じて取得するプッシュ型やプル型のサービス情報によるサービスを受け取るか否か、通信手段を通じて受け取った広告を表示するか否かを判定することができる。したがって、当該時点及び状況において、利用者にとって有益となるサービス情報のみを利用可能とすることができて、非常に便利であり、使い勝手が良い。
【発明の効果】
【００１７】
この発明によるナビゲーション装置によれば、通信手段を通じて取得可能な大量のサービス情報の中から、利用者の属性情報と、ナビゲーションモードと、取得した情報の種別と、利用者のＴＰＯとに応じた情報のみを、利用者が利用することができる状態とすることができ、非常に便利であり、使い勝手が良い。
【図面の簡単な説明】
【００１８】
【図１】この発明によるナビゲーション装置の実施形態の利用形態を説明するためのシステム図である。
【図２】この発明によるナビゲーション装置の実施形態の構成例を示すブロック図である。
【図３】この発明によるナビゲーション装置の実施形態の動作を説明するために用いるフローチャートの一部を示す図である。
【図４】この発明によるナビゲーション装置の実施形態の動作を説明するために用いるフローチャートの一部を示す図である。
【図５】この発明によるナビゲーション装置の実施形態の説明に用いる図である。
【発明を実施するための形態】
【００１９】
以下、この発明によるナビゲーション装置の実施形態を、スマートフォンと呼ばれる高機能携帯電話端末に適用した場合を例に取って、図を参照しながら説明する。
【００２０】
図１は、この発明によるナビゲーション装置の実施形態の利用形態を説明するためのシステム図である。すなわち、この例の場合、ナビゲーション装置の実施形態としての高機能携帯電話端末１は、ナビゲーションの実行時には、携帯電話網やインターネットを含む通信ネットワーク３を通じて、ナビゲーションサービスを行うクラウド２と接続するようにされている。ここで、クラウド２は、サービス情報や広告の情報を格納するサーバの機能を有するものであるが、リアルなサーバは意識しないものである。
【００２１】
後述するように、この実施形態におけるナビゲーション（以下、説明の簡単のために、ナビゲーションはナビと略称する）のアプリケーションプログラムにおいては、例えば徒歩ナビモード、自動車ナビモード、自転車ナビモード、女子用ナビモードなどの複数のナビ機能を利用可能とされている。
【００２２】
この例では、この複数のナビモードを有するナビのアプリケーションプログラム（以下、ナビアプリという）は、クラウド２から提供される。クラウド２は、各ナビ機能（ナビモード）をモジュール化したアプリケーションプログラムとして用意しており、例えば利用者により選択された複数のナビモードを備えるものとして、ナビのアプリケーションプログラムを利用者の高機能携帯電話端末１にダウンロードするようにする。高機能携帯電話端末１には、クラウド２から提供されているナビのアプリケーションプログラムが、予めインストールされている。
【００２３】
そして、後述するように、高機能携帯電話端末１において、利用者により、ナビのアプリケーションプログラム（以下、ナビアプリと略称する）が立ち上げられると、予め利用者によってナビモードが選択されている場合には、その選択されたナビモードが起動され、利用者によってナビモードが選択されていない場合には、後述するようにしてナビモードが自動判定されて起動される。
【００２４】
そして、この実施形態では、起動されたナビモードにおいては、高機能携帯電話端末１と、クラウド２とが連携することで、当該ナビモードにおける経路案内サービスなどを利用者は享受することができる。
【００２５】
そして、高機能携帯電話端末１において、ナビアプリが立ち上っているときには、クラウド２は、高機能携帯電話端末１において動作しているナビモードに応じたプッシュ型サービス情報を、例えばＳＮＳ（Social Networking Service）を通じて、高機能携帯電話端末１に対して適宜送信する。また、高機能携帯電話端末１においては、動作中のナビモードのアプリケーションプログラムに従って、適宜に、プル型サービス情報の要求をクラウド２に送る。クラウド２は、それに応じてプル型サービス情報を高機能携帯電話端末１に送信する。
【００２６】
この実施形態では、高機能携帯電話端末１でのナビアプリの実行中においては、全てのプッシュ型サービス情報及びプル型サービス情報や広告の情報が、高機能携帯電話端末１において利用者の利用に供される状態（利用可能状態）になる訳ではなく、以下のようにして利用可能状態にするか否かを判定するようにする。ここで、プッシュ型サービス情報及びプル型サービス情報についての利用可能状態とは、当該プッシュ型サービス情報及びプル型サービス情報によるサービス（クーポンなどの便益）が受け取られる状態であり、また、広告については、表示される状態である。
【００２７】
この実施形態においては、プッシュ型サービス情報やプル型サービス情報に関しては、高機能携帯電話端末１に予め設定されている利用者の属性情報と、そのときのＴＰＯと、動作中のナビモードとに基づいて、各プッシュ型サービス情報やプル型サービス情報によるサービスを受け取るか、受け取らないか、あるいは広告を表示するか、表示しないかを判定するようにする。
【００２８】
ここで、利用者の属性情報（基本設定の情報）としては、例えば、性別、ジュニア、ユース、アダルト、シニア、障害の有無、年収（所得層）などが登録される。ジュニア、ユース、アダルト、シニアの代わりに年齢が入力されてもよい。また、利用者の自宅住所や、趣味、嗜好などについての情報などを、利用者の属性情報に含めて登録するようにしてもよい。
【００２９】
また、ナビモードの動作中における上記の判定に用いるＴＰＯ（Ｔ：時間、Ｐ：場所、Ｏ：場合（状況））の内の「場合（状況）」としては、例えば
・ビジネス、プライベート、ファミリー（ナビモード中の利用者の状態）
・グループ、カップル、単独（行動単位）
・飲食、買物、観光、散歩、暇潰し、デート、レジャー（目的）
・車、徒歩、自転車、バイク、電車、タクシー、バス（移動手段）
が用いられる。
【００３０】
この実施形態においては、上述のようにして、各プッシュ型サービス情報や各プル型サービス情報によるサービスを受け取るか、受け取らないか、または、広告を表示するか、表示しないかが判定されて、それぞれその判定結果に応じた処理がなされるので、利用者は、その属性情報、ＴＰＯ及び動作中のナビモードに応じたサービス情報のみが利用可能となり、不必要な情報は排除される。よって、利用者は、有益な情報のみを利用可能に取得することができて、非常に便利であり、使い勝手が良い。
【００３１】
［ナビゲーション装置の実施形態の高機能携帯電話端末１の構成例］
図２は、ナビゲーション装置の実施形態の高機能携帯電話端末１の構成例を示すブロック図である。なお、図２では、電話通信に関する回路部分については、この発明の要旨とは直接的な関係がないので省略した。
【００３２】
この実施形態の高機能携帯電話端末１においては、コンピュータで構成される制御部１０１に対して、システムバス１００を通じて無線通信部１０２、受信情報処理部１０３、送信情報生成部１０４、ＬＣＤ（Liquid Crystal Display；液晶ディスプレイ）インターフェース１０５、操作部インターフェース１０６、メモリ部１０７、現在位置検出部１０８、日時提供部１０９、のそれぞれが接続されて構成されている。
【００３３】
無線通信部１０２は、携帯電話網を含む通信ネットワーク３を通じてクラウド２に対して無線接続を行い、クラウド２と無線通信を行う。受信情報処理部１０３は、無線通信部１０２を通じて受信した情報のバッファを備え、制御部１０１の制御に従った処理を行う。送信情報生成部１０４は、クラウド２へのアクセス要求や、プル型サービス情報の取得要求などを、制御部１０１の制御に従って生成する。制御部１０１は、生成された送信情報を無線通信部１０２を通じて送信するようにする。
【００３４】
ＬＣＤインターフェース１０５には、表示画面１１０Ｄ（図１参照）を備えるＬＣＤ１１０が接続されている。操作部インターフェース１０６には、操作部１１１が接続されている。この操作部１１１は、この例では、ＬＣＤ１１０の表示画面に重畳配置されているタッチパネルの構成とされている。
【００３５】
メモリ部１０７は、アプリケーションプログラムエリア１０７Ａ、利用者属性情報エリア１０７Ｂ、ワークエリア１０７Ｃを含む。メモリ部１０７は、その他の情報を記憶するエリアも備えるが、ここでは、省略する。
【００３６】
アプリケーションプログラムエリア１０７Ａには、複数のナビモードのそれぞれを実行するためのプログラムを含むナビアプリ及びその他のアプリケーションプログラムが格納されている。
【００３７】
利用者属性情報エリア１０７Ｂには、利用者により設定登録された前述したような利用者の属性情報が格納されている。利用者は、表示画面１１０Ｄに表示された利用者の属性情報の入力用画面において、操作部１１１を通じて入力操作又は選択操作することで、利用者の属性情報を入力し、設定登録する。
【００３８】
ワークエリア１０７Ｃには、動作中のナビモードでの処理のために必要な種々の情報が一時記憶される。例えば、ＴＰＯの内の上述した「場合（状況）」の内の、利用者によって設定された情報や、利用者により選択設定されたナビモードが何であるかの情報も記憶される。
【００３９】
現在位置検出部１０８は、ＧＰＳ衛星からの電波や携帯電話の基地局からの情報を受信して、高機能携帯電話端末１の現在位置を検知し、その検知した現在位置のデータ（緯度、経度、高さのデータ）を、制御部１０１に転送する。ナビモードの動作中には、制御部１０１は、無線通信部１０２を用いて、この高機能携帯電話端末１の現在位置データを、携帯電話網の基地局経由でクラウド２に送信する。
【００４０】
日時提供部１０９は、カレンダー機能付の時計回路で構成され、年月日、曜日及び時刻を提供する。提供された年月日、曜日及び時刻のデータは制御部１０１に転送される。この年月日、曜日及び時刻のデータは、後述するように、ＴＰＯの内の「場合（状況）」の自動判定や、立ち上げるナビモードの自動判定に用いられる。
【００４１】
この実施形態においては、クラウド２は、高機能携帯電話端末１に送られるプッシュ型サービス情報及びプル型サービス情報には、冒頭で述べた、デジタルクーポン、来店ポイントサービス、デジタルチラシサービス、エリア店舗情報サービス、公式アカウントサービスなどの種別の内のいずれの種別のものであるかを示す種別情報を付加して送信する。この実施形態では、この種別情報に基づいて、プッシュ型サービス情報及びプル型サービス情報が、どの種別の情報であるかを認識することができる。広告の情報についても同様に、クラウド２は、どのような属性（商品やサービスの種別等）であるかを示す種別情報を付加して送信する。
【００４２】
クラウド２は、高機能携帯電話端末１の現在位置の情報から、当該高機能携帯電話端末１の利用者が地図上の何処に居るかを検知して、動作中のナビモードに応じると共に、その場所に応じたプッシュ型サービス情報を、高機能携帯電話端末１に、ＳＮＳにより送信するようにする。この実施形態の高機能携帯電話端末１では、送られてきたプッシュ型サービス情報の種別を認識し、前述したように、その時に動作しているナビモードと、記憶されている利用者の属性情報と、その時のＴＰＯに基づいて、送られてきたプッシュ型サービス情報を受け取るか、受け取らないかを判定し、その判定に応じた処理を行う。
【００４３】
また、高機能携帯電話端末１の各ナビモードでは、現在位置検出部１０８で検出した現在位置の情報に基づいて判定された地図上の場所に基づいて、適宜、ＳＮＳを通じて、プル型サービス情報の取得要求をクラウド２に送る。すると、クラウド２は、動作中のナビモードに応じると共に、その場所に応じたプル型サービス情報を高機能携帯電話端末１に送信するようにする。高機能携帯電話端末１では、送られてきたプル型サービス情報の種別を認識し、前述したように、その時に動作しているナビモードと、記憶されている利用者の属性情報と、その時のＴＰＯに基づいて、取得したプル型サービス情報によるサービスを受け取るか、受け取らないかを判定し、その判定に応じた処理を行う。
【００４４】
また、クラウド２は、高機能携帯電話端末１の現在位置の情報から、当該高機能携帯電話端末１の利用者が地図上の何処に居るかを検知して、動作中のナビモードに応じると共に、その場所に応じた広告情報を送るようにする。高機能携帯電話端末１では、送られてきた広告の情報の種別を認識し、前述したように、その時に動作しているナビモードと、記憶されている利用者の属性情報と、その時のＴＰＯに基づいて、取得した広告の情報をＬＣＤ１１０の表示画面１１０Ｄに表示するか、表示しないかを判定し、その判定に応じた処理を行う。
【００４５】
［ナビゲーション装置の実施形態の高機能携帯電話端末１の動作例］
図３及び図４は、この実施形態の高機能携帯電話端末１の要部の動作例を説明するためのフローチャートである。この図３及び図４のフローチャートにおける各ステップの動作は、制御部１０１が、メモリ部１０７のアプリケーションプログラムエリア１０７Ａに記憶されているプログラムを、ワークエリア１０７Ｃを用いながら実行するものである。なお、この図３及び図４のフローチャートにおいては、説明の便宜上、プッシュ型サービス情報及びプル型サービス情報についての処理を例にしており、広告の情報についての処理は省略した。
【００４６】
先ず、制御部１０１は、操作部１１１を通じて利用者によりナビアプリを立ち上げる操作がなされたか否かを操作部インターフェース１０６の出力を監視することにより判別する（ステップＳ１０１）。このステップＳ１０１で、ナビアプリを立ち上げる操作がなされてはいないと判別したときには、制御部１０１は、その他の処理を行い（ステップＳ１０２）、その処理の終了後、ステップＳ１０１に処理を戻す。
【００４７】
ステップＳ１０１で、ナビアプリを立ち上げる操作がなされたと判別したときには、制御部１０１は、利用者によって、複数のナビモードの内の一つのナビモードの選択がされているか否か判別する（ステップＳ１０３）。ナビモードが利用者によって選択されていると判別したときには、制御部１０１は、その選択されているナビモードをクラウド２に通知して、当該ナビモードを起動させるようにする（ステップＳ１０４）。
【００４８】
また、ステップＳ１０３で、ナビモードが利用者によって選択されていないと判別したときには、制御部１０１は、ナビモードを自動判定し、その判定結果のナビモードをクラウド２に通知して、当該ナビモード起動させるようにする（ステップＳ１０５）。この実施形態では、このナビモードの自動判定においては、制御部１０１は、例えば、現在位置検出部１０８で検出された現在位置の情報と、日時提供部１０９で検出された日時情報とから、高機能携帯電話端末１、すなわち、利用者の移動速度を検出し、その検出した移動速度から、徒歩ナビモード、自動車ナビモード、自転車ナビモード、のいずれであるかを判定するようにする。
【００４９】
ステップＳ１０４またはステップＳ１０５において、ナビモードが決定されて起動され、ナビ案内が開始されたら、制御部１０１は、ＴＰＯの「場合（状況）」について利用者により選択指定されているか否か判別する（ステップＳ１０６）。このステップＳ１０６で、ＴＰＯの「場合（状況）」について利用者により選択指定されていると判別したときには、制御部１０１は、その選択されているＴＰＯの「場合（状況）」を認識する（ステップＳ１０７）。
【００５０】
また、ステップＳ１０６で、ＴＰＯの「場合（状況）」について利用者により選択指定されていないと判別したときには、制御部１０１は、ＴＰＯの「場合（状況）」について自動判定を行う（ステップＳ１０８）。このＴＰＯの「場合（状況）」の自動判定は、メモリ部１０７に記憶されている利用者の属性情報と、現在位置検出部１０８で検出された現在位置の情報と、日時提供部１０９で検出された年月日、時刻、曜日の情報を用いて行われる。例えば、利用者の属性情報がアダルトで、場所が自宅から離れた場所であり、平日の昼間の時間であるときには、「ビジネス」と判定する。また、利用者の属性情報がアダルトで、場所が自宅近傍の場所であり、日曜日であるときには、「プライベート」と判定する。
【００５１】
ステップＳ１０７またはステップＳ１０８の次には、起動されたナビモードの案内がなされている状態において、クラウド２からのプッシュ型サービス情報を受信したか否か判別する（図４のステップＳ１１１）。このステップＳ１１１で、クラウド２からのプッシュ型サービス情報を受信したと判別したときには、その受信したプッシュ型サービス情報の種別を判定し、受け取るか、受け取らないかについて利用者によって選択設定されているか否か判別する（ステップＳ１１２）。すなわち、この実施形態においては、プッシュ型サービス情報については、その種別毎に、受け取るか、受け取らないかを選択設定できるようにされており、その選択設定がなされるか否かを判別する。
【００５２】
このステップＳ１１２で、プッシュ型サービス情報を受け取るか、受け取らないかについて利用者によって選択設定されていると判別したときには、制御部１０１は、その選択設定に応じた処理をする。すなわち、受け取ると選択設定されているときには、そのプッシュ型サービス情報を受け取り、受け取らない選択設定されているときには、そのプッシュ型サービス情報は受け取らずに廃棄する（ステップＳ１１３）。
【００５３】
また、ステップＳ１１２で、プッシュ型サービス情報を受け取るか、受け取らないかについて利用者によって選択設定されていないと判別したときには、制御部１０１は、動作中のナビモード及び当該受信時点でのＴＰＯに基づいて、受け取るか、受け取らないかを自動判定する（ステップＳ１１４）。
【００５４】
この実施形態においては、図５に示すように、ナビモードと、ＴＰＯと、受け取るプッシュ型サービス情報の種別及び受け取らないプッシュ型サービス情報の種別との対応テーブルの情報が、ナビアプリ用の情報として、予め、クラウド２から高機能携帯電話端末１に送られる。図５に示すように、このテーブル情報には、ナビモードと、ＴＰＯと、表示するプル型サービス情報の種別及び表示しないプル型サービス情報の種別との対応テーブルの情報も含まれている。このテーブル情報は、例えばナビアプリが高機能携帯電話端末１において立ち上げられ、クラウド２に接続されたときに、クラウド２から、最新のものが提供される。勿論、ナビアプリの立ち上げ時ではなく、予め、ナビアプリの提供時などの所定の時点で、このテーブル情報が、クラウド２から高機能携帯電話端末１に提供されるようにしてもよい。
【００５５】
なお、この例では、図５に示したテーブル情報は、利用者の属性情報（基本設定の情報）のそれぞれ、すなわち、性別、ジュニア、ユース、アダルト、シニア、障害の有無、年収（所得層）などに応じて、別々に生成される。したがって、利用者の属性情報は、プッシュ型サービス情報を受け取るか、受け取らないかの自動判定及びプル型サービス情報を表示するか、表示しないかの自動判定においては、利用者の基本設定情報である属性情報をも用いられていることになる。
【００５６】
ステップＳ１１４では、この図５のテーブル情報に基づいて、受信した種別のプッシュ型サービス情報を受け取るか、あるいは受け取らないかを判定し、その判定結果に応じた受け取りについての処理を実行する。
【００５７】
なお、サービス情報の受け取りや表示についての自動判定は、このようなテーブル情報を用いた判定方法に限られるものではないことは言うまでもない。
【００５８】
ステップＳ１１１で、プッシュ型サービス情報は受信してはいないと判別したとき、あるいはステップＳ１１３またはステップＳ１１４の後には、制御部１０１は、プル型サービス情報の取得要求をクラウド２に送り、当該プル型サービス情報を受信したか否か判別する（ステップＳ１１５）。
【００５９】
このステップＳ１１５で、プル型サービス情報の受信をしたと判別したときには、制御部１０１は、当該プル型サービス情報の種別を判定し、その受信したプル型サービス情報を受け取るか、受け取らないかについて利用者によって選択設定されているか否か判別する（ステップＳ１１６）。すなわち、この実施形態においては、プル型サービス情報については、その種別毎に、受け取るか、受け取らないかを選択設定できるようにされており、その選択設定がなされるか否かを判別する。
【００６０】
このステップＳ１１６で、プル型サービス情報を受け取るか、受け取らないかについて利用者によって選択設定されていると判別したときには、制御部１０１は、その選択設定に応じた処理をする（ステップＳ１１７）。
【００６１】
また、ステップＳ１１６で、プル型サービス情報を受け取るか、受け取らないかについて利用者によって選択設定されていないと判別したときには、制御部１０１は、判定したプル型サービス情報の種別と、動作中のナビモード及び当該受信時点でのＴＰＯとにより、図５のテーブル情報を参照して、受け取るか、受け取らないかを自動判定する（ステップＳ１１８）。
【００６２】
ステップＳ１１５で、プル型サービス情報の取得要求は行っていないと判別したとき、あるいはステップＳ１１７またはステップＳ１１８の後には、制御部１０１は、ナビアプリの終了指示があったか否か判別する（ステップＳ１１９）。このステップＳ１１９で、ナビ機能の終了指示はされていないと判別したときには、制御部１０１は、処理をステップＳ１１１に戻し、このステップＳ１１１以降の処理を繰り返す。また、ステップＳ１１９で、ナビ機能の終了指示があったと判別したときには、制御部１０１は、この処理ルーチンを終了する。
【００６３】
［実施形態の効果］
以上説明したように、上述の実施形態の高機能携帯電話端末１によれば、プッシュ型サービス情報やプル型サービス情報は、全て受け取る、あるいは広告は全て表示するのではなく、利用者の属性情報と、ナビモードと、ＴＰＯに応じて絞り込むことができるので、有益なサービス情報のみを受け取ったり、表示したりすることができて、非常に便利であり、使い勝手が良い。
【００６４】
［その他の実施形態又は変形例］
なお、上述の実施形態では、プッシュ型サービス情報及びプル型サービス情報また広告の情報は、ＳＮＳを通じて取得するようにしたが、これに限られるものではなく、電子メールの形式で取得する場合や、その他の配信方法で端末に取得させるようにする場合にも、この発明は適用可能であることは勿論である。
【００６５】
また、上述の実施形態では、プッシュ型サービス情報やプル型サービス情報を受け取るか、受け取らないか、あるいは広告を表示するか、表示しないかの利用者による選択設定は、プッシュ型サービス情報やプル型サービス情報の種別毎や広告の属性や種別毎にするようにしたが、各ナビモード毎に、プッシュ型サービス情報またはプル型サービス情報の全てについて受け取る、受け取らない、あるいは広告の全てについて表示する、表示しないを選択設定してもよい。
【００６６】
なお、上述の実施形態では、ナビゲーション装置の実施形態である高機能携帯電話端末１は、クラウド２と協働することで、ナビの処理機能を実現するようにした。しかし、ナビの処理機能を、高機能携帯電話端末１のみで実行するようにしてもよい。その場合には、クラウド２は、ナビゲーション装置の実施形態である高機能携帯電話端末１で実行されるナビアプリと連携して、プッシュ型サービス情報やプル型サービス情報、広告の情報を提供する機能を有していればよい。
【００６７】
なお、この発明のナビゲーション装置は、上述の実施形態のような高機能携帯電話端末に限られるものではなく、携帯型の端末であって、通信機能を備えるものであれば、どのような端末であってもよい。
【符号の説明】
【００６８】
１…高機能携帯電話端末、２…サーバ装置、１０１…制御部、１０７…メモリ部、１０８…現在位置検出部、１０９…日時提供部
【図１】
0006407760.tif 000002
【図２】
0006407760.tif 000003
【図３】
0006407760.tif 000004
【図４】
0006407760.tif 000005
【図５】
0006407760.tif 000006